【手続補正書】
【提出日】平成28年10月18日(2016.10.18)
【手続補正１】
【補正対象書類名】明細書
【補正対象項目名】０００７
【補正方法】変更
【補正の内容】
【０００７】
上述した課題を解決するために本発明は、撮像装置が、特定のシーンを予め設定し、撮像部により連続的に撮像される画像を記憶部に順次記憶させていく自動撮影を実行しながら、この自動撮影の動作中に、ユーザーの所定動作を検出した場合に、前記記憶部に記憶されている複数の画像の中から前記設定された特定のシーンに対応する画像を特定し、前記自動撮影の動作を継続したままで前記特定された画像を表示部に表示する、ことを特徴とする。
【手続補正２】
【補正対象書類名】特許請求の範囲
【補正対象項目名】全文
【補正方法】変更
【補正の内容】
【特許請求の範囲】
【請求項１】
特定のシーンを予め設定し、
撮像部により連続的に撮像される画像を記憶部に順次記憶させていく自動撮影を実行しながら、
この自動撮影の動作中に、ユーザーの所定動作を検出した場合に、前記記憶部に記憶されている複数の画像の中から前記設定された特定のシーンに対応する画像を特定し、
前記自動撮影の動作を継続したままで前記特定された画像を表示部に表示する、
ことを特徴とする撮像装置。
【請求項２】
前記自動撮影の動作を継続したままで、前記ユーザーの所定動作を検出する毎に、前記記憶部に記憶されている複数の画像の中から前記特定のシーンに対応する画像を新たに特定して前記表示部に表示する、
ことを特徴とする請求項１に記載の撮像装置。
【請求項３】
前記自動撮影の動作中に前記ユーザーの所定動作を検出した際に、前記記憶部に記憶されている複数の画像の中から前記特定のシーンに対応する画像であって、前記ユーザーの所定動作を検出したタイミングに対応するタイミングで撮像された画像を、前記ユーザーの所定動作を検出したタイミングに対応したタイミングで前記表示部に表示する、
ことを特徴とする請求項１又は２に記載の撮像装置。
【請求項４】
前記自動撮影の動作中に前記ユーザーの所定動作を検出した際に、前記記憶部に記憶されている複数の画像の中から前記特定のシーンに対応する画像であって、前記ユーザーの所定動作を検出したタイミングに最も近いタイミングで撮像された画像を、前記ユーザーの所定動作の検出直後に前記表示部に表示する、
ことを特徴とする請求項３に記載の撮像装置。
【請求項５】
ユーザーが任意に指定したシーンを前記特定のシーンとして予め設定する、
ことを特徴とする請求項１乃至４のいずれか１項に記載の撮像装置。
【請求項６】
前記自動撮影の動作中に、前記特定のシーンを順次検出し、この検出された特定のシーンに対応する画像を他の画像と識別して前記記憶部に記憶し、
前記ユーザーの所定動作を検出した場合に、前記記憶部に識別して記憶されている前記特定のシーンに対応する画像を前記表示部に表示する、
ことを特徴とする請求項１乃至５のいずれか１項に記載の撮像装置。
【請求項７】
前記自動撮影の動作中に、前記特定のシーンを順次検出し、この検出された特定のシーンに対応する画像だけを前記記憶部に順次記憶させ、
前記ユーザーの所定動作を検出した場合に、前記記憶部に記憶されている複数の画像の中から、前記ユーザーの所定動作を検出したタイミングに対応するタイミングで撮像された画像を、前記ユーザーの所定動作を検出したタイミングに対応したタイミングで前記表示部に表示する、
ことを特徴とする請求項１乃至６のいずれか１項に記載の撮像装置。
【請求項８】
前記撮像部により連続的に撮像される画像をライブビュー画像として前記表示部に順次表示させながら、前記特定のシーンに対応する画像を前記記憶部に順次記憶させる、
ことを特徴とする請求項７に記載の撮像装置。
【請求項９】
前記記憶部の所定の記憶容量を有する一時記憶領域内に、前記撮像部により連続的に撮像される画像を順次記憶させながら、その記憶容量分の画像が記憶済みであれば、古い画像に代わって新たな画像を更新しながら記憶させていき、この一時記憶領域内に記憶されている画像の中から前記特定のシーンに対応する画像を特定して前記表示部に表示する、
ことを特徴とする請求項１乃至８のいずれか１項に記載の撮像装置。
【請求項１０】
前記自動撮影の動作は、前記撮像部により連続的に撮像される画像を動画として前記記憶部に順次記憶させていく動作であり、
この自動撮影の動作中に、前記ユーザーの所定動作を検出した場合に、前記記憶部に記憶されている動画の中から前記特定のシーンに対応する区間の動画を特定し、
前記自動撮影の動作を継続したままで前記特定された区間の動画を再生して前記表示部に表示する、
ことを特徴とする請求項１乃至９のいずれか１項に記載の撮像装置。
【請求項１１】
前記自動撮影の動作中に前記特定のシーンを逐次検出し、この動画における前記特定のシーンが始まってから終了するまでの区間を、前記特定のシーンに対応する区間として特定する、
ことを特徴とする請求項１０に記載の撮像装置。
【請求項１２】
前記ユーザーの所定動作を検出したタイミングで前記特定のシーンに対応する区間の動画が記憶中であった場合に、
（１）この区間の動画の記憶が完了するのを待ってからこの区間の動画の再生を開始する方法、
（２）この区間の動画の記憶が完了するのを待たずに直ちにこの区間の動画の再生を開始する方法、
（３）この区間の動画の記憶が完了するのを待たずに直ちに前記ユーザーの所定動作を検出したタイミングよりも前に記憶されている前記特定のシーンに対応する他の区間の動画の再生を開始する方法、
のいずれかの方法で再生を行う、
ことを特徴とする請求項１０に記載の撮像装置。
【請求項１３】
前記ユーザーの所定動作を検出したタイミングで前記特定のシーンに対応する区間の動画が記憶中であった場合の再生表示の方法として、
（１）この区間の動画の記憶が完了するのを待ってからこの区間の動画の再生を開始する方法、
（２）この区間の動画の記憶が完了するのを待たずに直ちにこの区間の動画の再生を開始する方法、
（３）この区間の動画の記憶が完了するのを待たずに直ちに前記ユーザーの所定動作を検出したタイミングよりも前に記憶が完了している前記特定のシーンに対応する他の区間の動画の再生を開始する方法、
のいずれかの方法をユーザーが選択できるようにした、
ことを特徴とする請求項１２に記載の撮像装置。
【請求項１４】
前記自動撮影の動作中に前記ユーザーの所定動作を検出した際に、この検出タイミングよりも前に記憶が完了している前記特定のシーンに対応する区間の動画があれば、その区間の動画の再生を開始し、なければ、前記記憶中の前記特定のシーンに対応する区間の動画の記憶の完了を待ってからその区間の動画の再生を開始する、
ことを特徴とする請求項１２に記載の撮像装置。
【請求項１５】
前記ユーザーの所定動作として、所定の操作キーを操作する動作、または、ユーザの身体又は視線を表示画面に向ける動作を検出する、
ことを特徴とする請求項１乃至１４のいずれか１項に記載の撮像装置。
【請求項１６】
前記ユーザーの所定動作が検出されたタイミングで画像の表示を開始し、検出されなくなったタイミングで画像の表示を終了する、
ことを特徴とする請求項１乃至１５のいずれか１項に記載の撮像装置。
【請求項１７】
前記記憶動作中に、前記特定のシーンが検出された際、又はその特定のシーンが前記記憶部に記録された際に、その旨を報知する、
ことを特徴とする請求項１乃至１６のいずれか１項に記載の撮像装置。
【請求項１８】
被写体の画像上での特徴情報、被写体の動作情報、被写体の音声情報のうち、少なくとも１つの情報に基づいて前記特定のシーンを検出する、
ことを特徴とする請求項１乃至１７のいずれか１項に記載の撮像装置。
【請求項１９】
前記動画の再生動作中に、表示画面を見るユーザの状況を検出し、この検出されたユーザの状況に基づいて動画の再生速度を変更する、
ことを特徴とする請求項１０乃至１４のいずれか１項に記載の撮像装置。
【請求項２０】
前記動画の再生動作中に、ユーザの身体又は視線が表示画面に向いている場合に、その身体又は視線の表示画面に対する角度、または、身体又は視線が継続して表示画面に向いている時間のうち、少なくともいずれかを検出し、その検出された角度または時間に応じて再生速度を変更する、
ことを特徴とする請求項１９に記載の撮像装置。
【請求項２１】
撮像装置における画像再生方法であって、
特定のシーンを予め設定し、
撮像部により連続的に撮像される画像を記憶部に順次記憶させていく自動撮影を実行しながら、
この自動撮影の動作中に、ユーザーの所定動作を検出した場合に、前記記憶部に記憶されている複数の画像の中から前記設定された特定のシーンに対応する画像を特定し、
前記自動撮影の動作を継続したままで前記特定された画像を表示部に表示する、
ことを特徴とする画像再生方法。
【請求項２２】
撮像装置のコンピュータに対して、
特定のシーンを予め設定し、
撮像部により連続的に撮像される画像を記憶部に順次記憶させていく自動撮影を実行しながら、
この自動撮影の動作中に、ユーザーの所定動作を検出した場合に、前記記憶部に記憶されている複数の画像の中から前記設定された特定のシーンに対応する画像を特定し、
前記自動撮影の動作を継続したままで前記特定された画像を表示部に表示する
処理を実行させるためのプログラム。